(57)【要約】【課題】理美容の洗浄水や浴水として毛髪や頭皮や肌の爽快感、触感、保湿性に優れた炭酸水を生成可能な装置を提供する。【解決手段】炭酸ガスを混合させた軟水を生成する炭酸軟水生成装置１００であって、水道温水導入口１１１から導入される水道温水に含まれる硬度成分を、ナトリウムイオンに置換して除去することによって軟水を生成し、この軟水を軟水導出口１１２から導出する軟水器１１０と、軟水導入口１２１から導入される上記の軟水に、炭酸ガス導入口１２２から導入される炭酸ガスを混合させることによって炭酸軟水を生成し、この炭酸軟水を炭酸軟水導出口１２３から導出する炭酸ガス混合器１２０とを備える。【選択図】図１
0003163892.tif 000002
【実用新案登録請求の範囲】
【請求項１】
炭酸ガスを混合させた軟水を生成する炭酸軟水生成装置であって、
水道水導入口から導入される水道水に含まれる硬度成分を、ナトリウムイオンに置換して除去することによって軟水を生成し、この軟水を軟水導出口から導出する軟水器と、
軟水導入口から導入される前記軟水に、炭酸ガス導入口から導入される炭酸ガスを混合させることによって炭酸軟水を生成し、この炭酸軟水を炭酸軟水導出口から導出する炭酸ガス混合器と
を備えた
ことを特徴とする炭酸軟水生成装置。
【請求項２】
炭酸ガス送入口に供給された炭酸ガスを第１分岐口と第２分岐口とに分岐させ、前記第１分岐口から送出した炭酸ガスを前記炭酸ガス導入口に導入する炭酸ガス分岐器をさらに備えたことを特徴とする請求項１に記載の炭酸軟水生成装置。
【請求項３】
前記炭酸ガス分岐器は、前記第２分岐口から送出した炭酸ガスを液体噴霧器に導入することを特徴とする請求項２に記載の炭酸軟水生成装置。
【請求項４】
前記炭酸ガス混合器は、弁機構を開閉動作させることによって、前記軟水に間欠的に炭酸ガスを混合させた振動炭酸軟水を生成し、この振動炭酸軟水を前記炭酸軟水導出口から導出することを特徴とする請求項１ないし３のいずれか一つに記載の炭酸軟水生成装置。
【考案の詳細な説明】
【技術分野】
【０００１】
本考案は、炭酸ガス（炭酸成分）を混合させた水（炭酸水）を生成する炭酸水生成装置に関し、特に、理美容院（ヘアーサロン、エステティックサロン、ビューティサロン等）において、毛髪のカラーリング施術、パーマ施術、トリートメント施術、シャンプー施術時等に使用される洗浄水や浴水に適した炭酸水を生成する炭酸水生成装置に関するものである。
【背景技術】
【０００２】
従来、理美容院では、シャンプー施術等においての毛髪や頭皮の洗浄水として、適切な温度に調整された水道水（水道温水）、あるいは水道配管から加温されずに直接送出された水道水（水道冷水）が使用されてきた。
【０００３】
さらには、水道温水あるいは水道冷水に炭酸ガスを混ぜ込んで炭酸水を生成し、この炭酸水を施術の際の洗浄水として使用する技術も提案されていた（例えば特許文献１または２参照）。
【０００４】
このような従来の炭酸水を生成する炭酸水生成装置としては、中空糸膜を介して炭酸ガスを水道温水中に溶かし込む構成としたもの（例えば特許文献１参照）、圧力容器内に炭酸ガスを供給するとともに水を散布して炭酸水を生成する構成としたもの（例えば特許文献３参照）等がある。
【０００５】
水道水は、そのｐＨ値がおよそ６．５〜７の弱酸性〜中性の水であるが、この水道水に炭酸ガスを混合させることによって生成された炭酸水では、そのｐＨ値が４．５〜５の酸性の水となる。このため、上記の炭酸水を使用することによって以下の効能があるとされている。
【０００６】
アルカリカラーリング剤やパーマ液は、そのｐＨ値が９〜１１のアルカリ性であるが、健康な毛髪や皮膚は、そのｐＨ値が５〜６の弱酸性である。炭酸水には、上記アルカリカラーリング剤やパーマ液のアルカリ性を中和して、さらには毛髪や皮膚を弱酸性に戻す作用があるとともに、被施術者の毛表皮（キューティクル）の開きをひきしめる作用があるので、カラーリング効果やパーマのウエーブ効率を向上させることができる。
【０００７】
また、トリートメント剤は弱酸性であって健康な毛髪のｐＨ値と略同じであるが、水道水は略中性である。このため、酸性の炭酸水を使用することによって、略中性の水道水を使用するよりも、トリートメント剤の有する毛髪の保護・改善性能を十分に発揮させることができるので、トリートメント効果を向上させることができる。
【０００８】
炭酸成分が有する蛋白質に吸着する性質によって、頭皮の毛穴に詰まった老廃物や古い角質を除去するので、炭酸水は、被施術者の頭皮にアストリンゼン効果（ひきしめ効果）を生じさせるアストリンゼン水として作用する。
【０００９】
なお、上記のアストリンゼン効果は施術者の手指の皮膚にも生じるので、炭酸水は、施術者の肌に優しい水として作用する。
【００１０】
さらに、炭酸成分が頭皮から吸収されることにより、炭酸水は、被施術者の頭皮や毛根につながる微細な末梢血管の血流を促進させる作用がある。
【先行技術文献】
【特許文献】
【００１１】
【特許文献１】特開平１０−３１４０６１号公報
【特許文献２】実用新案登録第３１４３１７６号
【特許文献３】特開２００４−３３７８４６号公報
【考案の概要】
【考案が解決しようとする課題】
【００１２】
しかしながら、上記従来の炭酸水洗浄あるいは炭酸水浴では、被施術者の頭皮や施術者の肌に、荒れや痒みを生じることがあるという課題があった。
【００１３】
また、被施術者の毛髪については、毛表皮を痛めて十分な保護・修復効果を得ることができず、毛髪の触感に不満を生じることがあるという課題があった。
【００１４】
さらにまた、頭皮や肌については、保湿力の確保が不十分な場合があるという課題があった。
【００１５】
このように、上記従来の炭酸水生成装置においては、これによって生成された炭酸水を使用された毛髪や頭皮や肌の爽快感、触感、保湿性に欠けるという課題があった。
【００１６】
本考案は、このような従来の課題を解決するためになされたものであり、理美容の洗浄水や浴水として毛髪や頭皮や肌の爽快感、触感、保湿性に優れた炭酸水を生成可能な装置を提供することを目的としてなされたものである。
【課題を解決するための手段】
【００１７】
上記目的を達成するために、本考案の第１の炭酸軟水生成装置は、炭酸ガスを混合させた軟水を生成する炭酸軟水生成装置であって、水道水導入口から導入される水道水に含まれる硬度成分を、ナトリウムイオンに置換して除去することによって軟水を生成し、この軟水を軟水導出口から導出する軟水器と、軟水導入口から導入される前記軟水に、炭酸ガス導入口から導入される炭酸ガスを混合させることによって炭酸軟水を生成し、この炭酸軟水を炭酸軟水導出口から導出する炭酸ガス混合器とを備えたことを特徴とするものである。
【００１８】
本考案の第２の炭酸軟水生成装置は、上記本考案の第１の炭酸軟水生成装置において、炭酸ガス送入口に供給された炭酸ガスを第１分岐口と第２分岐口とに分岐させ、前記第１分岐口から送出した炭酸ガスを前記炭酸ガス導入口に導入する炭酸ガス分岐器をさらに備えたことを特徴とするものである。
【００１９】
本考案の第３の炭酸軟水生成装置は、上記本考案の第２の炭酸軟水生成装置において、前記炭酸ガス分岐器が、前記第２分岐口から送出した炭酸ガスを液体噴霧器に導入することを特徴とするものである。
【００２０】
本考案の第４の炭酸軟水生成装置は、上記本考案の第１ないし第３の炭酸軟水生成装置のいずれかにおいて、前記炭酸ガス混合器が、弁機構を開閉動作させることによって、前記軟水に間欠的に炭酸ガスを混合させた振動炭酸軟水を生成し、この振動炭酸軟水を前記炭酸軟水導出口から導出することを特徴とすることものである。
【００２１】
このように、本考案は、水道水に軟水化処理を施して軟水とし、この軟水に炭酸ガス（炭酸成分）を混入させて炭酸軟水を生成することを特徴とするものである。
【考案の効果】
【００２２】
水道水には、硬度成分（主にカルシウムイオンおよびマグネシウムイオン）が含まれており、これらによる脂肪酸カルシウムや脂肪酸マグネシウムが施術の際に石鹸成分等と最初に反応して、いわゆる石鹸カスの内でも毛髪や頭皮や肌においての残留性が高い金属石鹸が析出される。
【００２３】
水道水に炭酸ガスを混合して生成された従来の炭酸水を理美容の洗浄水や浴水として使用した場合には、上記の金属石鹸、つまり上記硬度成分の金属イオンが、施術の最初に、被施術者の毛髪や頭皮、ならびに施術者の肌に付き、施術中や施術をしたあともそのまま残留してしまうことが、毛髪や頭皮や肌の爽快感、触感、保湿力を低下させる要因になっていると考えられる。
【００２４】
本考案によれば、軟水器において水道水から上記の硬度成分を除去して軟水を生成し、炭酸ガス混合器においてこの軟水に炭酸ガスを混合させて炭酸軟水を生成するので、この炭酸軟水を理美容の施術等の洗浄水や浴水に使用したときに、金属石鹸の析出を抑制することができる。
【００２５】
従って、本考案による炭酸軟水を理美容の施術等の洗浄水や浴水に使用することにより、金属石鹸の析出・残留による炭酸水の効能低下を抑えて、炭酸水が有する本来の効能を十分に発揮させることができるので、毛髪や頭皮や肌に優れた爽快感、触感、保湿力を得ることができるという効果がある。
【図面の簡単な説明】
【００２６】
【図１】本考案の実施の形態１の炭酸軟水生成装置を適用した炭酸軟水理容洗浄システムの模式構成を説明する図である。
【図２】本考案の実施の形態１の炭酸軟水生成装置の構成例を説明する正面図である。
【図３】本考案の実施の形態２の炭酸軟水生成装置を適用した炭酸軟水理容洗浄システムの模式構成を説明する図である。
【考案を実施するための形態】
【００２７】
本考案を実施するための形態について、図面を参照しつつ、以下に詳細に説明する。
【００２８】
実施の形態１
図１は本考案の実施の形態１の炭酸軟水生成装置を適用した炭酸軟水理容洗浄システムの模式構成を説明する図である。
【００２９】
図１の炭酸軟水理容洗浄システム１は、給湯器１０と、混合栓２０と、止水栓３０と、ノズルヘッド４０と、シャンプー台５０と、炭酸ガスボンベ７０と、水道水配管８１，８２，８３と、炭酸軟水配管８４，８５と、炭酸ガス配管９１と、本考案の実施の形態１の炭酸軟水生成装置１００とを備えて構成されている。
【００３０】
給湯器１０は、水道水配管８１から流入する水道冷水を、あらかじめ設定された温度の湯水に加温し、この水道湯水を水道水配管８２内に流出させる。
【００３１】
混合栓２０は、水道水配管８１から流入する水道冷水と、水道水配管８２から流入する水道湯水とを、施術者の操作等によって調整された割合で混合して水道温水とする。そして、この水道温水を、同じく施術者の操作等によって調整された水量で、水道水配管８３内に流出させる。
【００３２】
炭酸ガスボンベ７０は、ガス送出口７１を有する。ガス送出口７１には、炭酸ガス配管９１の一端が配管接合されている。この炭酸ガスボンベ７０は、ボンベ内部に充填された炭酸ガスを、施術者による減圧弁の操作等によってあらかじめ設定された圧力（流量）で、ガス送出口７１から炭酸ガス配管９１内に送出する。
【００３３】
炭酸ガス配管９１は、例えば可撓性の金属配管であるが、剛性金属配管や樹脂配管等を使用することも可能である。
【００３４】
本考案の実施の形態１の炭酸軟水生成装置１００は、軟水器１１０と、炭酸ガス混合器１２０とを備え、炭酸ガスを混合させた軟水（炭酸軟水）を生成する。
【００３５】
軟水器１１０は、水道温水導入口１１１と、軟水導出口１１２とを有する。水道温水導入口１１１には、水道温水配管８３が配管接合されている。
【００３６】
この軟水器１１０は、例えばナトリウムイオンを含むイオン交換樹脂を内蔵しており、水道温水導入口１１１から導入される水道温水に含まれる硬度成分（主にカルシウムイオンおよびマグネシウムイオン）をナトリウムイオンに置換して除去することによって軟水を生成し、この軟水を軟水導出口１１２から導出する。
【００３７】
上記イオン交換樹脂の具体例としては、「日本工業規格」、「米国規格ＦＤＡ２１」、および「欧州議会指針ＡＰ１」に適合していて飲料水用軟水生成装置にも使用可能であって、かつ交換が容易なスチレン・ゲル型強酸性イオン交換樹脂がある。
【００３８】
炭酸ガス混合器１２０は、軟水導入口１２１と、炭酸ガス導入口１２２と、炭酸軟水導出口１２３とを有する。軟水導入口１２１には、軟水器１１０の軟水導出口１１２が直接配管接合されており、炭酸ガス導入口１２２には、炭酸ガス配管９１の他端が配管接合されており、炭酸軟水導出口１２３には、炭酸軟水配管８４が配管接合されている。
【００３９】
この炭酸ガス混合器１２０は、軟水導入口１２１から導入される軟水に、炭酸ガス導入口１２２から導入される炭酸ガスを混合させることによって炭酸軟水を生成し、この炭酸軟水を炭酸軟水導出口１２３から導出する。
【００４０】
このような炭酸ガス混合器１２０においては、逆止弁あるいは電磁弁等の弁機構を炭酸ガス導入口１２２の経路に設け、この弁機構を開閉動作させることによって、軟水導入口１２１から導入される軟水に、例えば１分間に１２０回〜１８０回、間欠的に炭酸ガスを混合させた振動炭酸軟水を生成し、この振動炭酸軟水を炭酸軟水導出口１２３から導出する構成とすることも可能である。
【００４１】
なお、図１では軟水器１１０の軟水導出口１１２と炭酸ガス混合器１２０の軟水導入口１２１とを直接配管接合した構造としているが、これらの軟水導出口１１２と軟水導入口１２１とを例えばビニール製あるいはプラスチック製のホース等の配管を介して接続した構造とすることも可能である。
【００４２】
また、図１では炭酸ガス配管９１を介して炭酸ガスボンベ７０のガス送出口７１と炭酸ガス混合器１２０の炭酸ガス導入口１２２とを接続しているが、ガス送出口７１と炭酸ガス導入口１２２とを直接配管接合した構造とすることも可能である。
【００４３】
止水栓３０は、炭酸ガス混合器１２０の炭酸軟水導出口１２３から炭酸軟水配管８４に流入した炭酸軟水（振動炭酸軟水）を、施術者等による操作によって、適量に調整して炭酸軟水配管８５内に流出させ、あるいはこの炭酸軟水の流出を止水する。
【００４４】
この止水栓３０は、シャンプー台５０に固設され、あるいは取りはずし可能に設置されている。
【００４５】
なお、止水栓３０を、シャンプー台５０とは独立して設けることも可能である。
【００４６】
ノズルヘッド４０は、炭酸軟水配管８５から流入した炭酸軟水（振動炭酸軟水）を、シャンプー台５０の上面に設けられているシャンプーボール（被施術者の毛髪や頭皮の洗浄施術あるいは浴水施術をするための凹面器）内に噴水する。
【００４７】
このノズルヘッド４０は、施術者が自由にハンドリング操作等をできるようにするためにシャンプー台５０から取りはずし可能に、あるいは上下動および回転可能に、シャンプー台５０に設置されている。
【００４８】
なお、ノズルヘッド４０を、シャンプー台５０に固設すること、あるいはシャンプー台５０とは独立して設けることも可能である。
【００４９】
シャンプー台５０は、パーマ施術やカラーリング施術のあとに施術者によってなされる、あるいはこれらの施術をせずに単独で施術者によってなされるシャンプー施術やトリーメント施術された被施術者の毛髪や頭皮の炭酸軟水（振動炭酸軟水）洗浄、さらには被施術者の毛髪や頭皮の炭酸軟水（振動炭酸軟水）浴水をするためのシャンプーボールが設けられた貯流水台である。
【００５０】
図２は本考案の実施の形態１の炭酸軟水生成装置１００の構成例を説明する正面図である。なお、図２において、図１と同様のものには同じ符号を付してある。
【００５１】
図２（ａ）の炭酸軟水生成装置１００（１００Ａ）では、軟水器１１０の側面にＬ字型の軟水導出口１１２を設け、この軟水導出口１１２に炭酸ガス混合器１２０の軟水導入口１２１を直接配管接合することによって、軟水導出口１１２の軟水器１１０天面側に炭酸ガス混合器１２０を中空配置し、軟水器１１０の側面において炭酸ガス混合器１２０を支持する構成とすることによって、軟水器１１０とガス混合器１２０の一体型構造を実現している。この炭酸軟水生成装置１００Ａにおいては、軟水器１１０の底面に支持体１１６が設けられている。
【００５２】
図２（ｂ）の炭酸軟水生成装置１００（１００Ｂ）では、ハウジング１０１に軟水器１１０および炭酸ガス混合器１２０を内蔵させることによって、１つのハウジング内において実施の形態１の炭酸軟水生成装置１００の構成を実現している。この炭酸軟水生成装置１００Ｂにおいても、上記炭酸軟水生成装置１００Ａと同様に、ハウジング１０１の底面に支持体１１６が設けられている。
【００５３】
図２（ｃ）の炭酸軟水生成装置１００（１００Ｃ）では、軟水器１１０の側面にコの字型の軟水導出口１１２を設け、軟水器１１０の天面に炭酸ガス混合器１２０を載置して、軟水導出口１１２に炭酸ガス混合器１２０の軟水導入口１２１を直接配管接合した構成とすることによって、軟水器１１０とガス混合器１２０の一体型構造を実現している。この炭酸軟水生成装置１００Ｃにおいても、軟水器１１０の底面に支持体１１６が設けられている。
【００５４】
図２（ｄ）の炭酸軟水生成装置１００（１００Ｄ）では、軟水器１１０の底面に混合器支設スペース１１７を設け、この混合器支設スペース１１７内に炭酸ガス混合器１２０を抱設させることによって、軟水器１１０とガス混合器１２０の一体型構造を実現している。この炭酸軟水生成装置１００Ｃにおいても、軟水器１１０の底面に支持体１１６が設けられている。
【００５５】
図２のように、軟水器１１０とガス混合器１２０を一体型として炭酸軟水生成装置１００を構成することにより、炭酸軟水生成装置１００全体の設置スペースの確保が容易になって設置自由度を上がることができる。さらに、例えば支持体１１６をキャスター機構とすることにより、炭酸軟水生成装置１００全体を容易に移動することができる。
【００５６】
炭酸軟水理容洗浄システム１の動作、特に炭酸軟水生成装置１００においての炭酸軟水生成動作について、以下に説明する。
【００５７】
水道水配管８１から送られる水道冷水は、給湯器１０および混合栓２０に流入する。給湯器１０に流入した水道冷水は、給湯器１０において水道湯水に加熱され、水道水配管８２を介して、混合栓２０に流入する。これらの水道冷水および水道湯水は、混合栓２０において調整された割合で混合されて水道温水となり、水道水配管８３を介して軟水器１１０に導入される。
【００５８】
上記の水道水（水道冷水，水道湯水，水道温水）は、そのｐＨ値が６．５〜７の弱酸性〜中性であって（正確には日本国内においても地域によって異なる）、一般にカルシウムインやマグネシウムイオン等の硬度成分を相応に含んだ水である。
【００５９】
軟水器１１０に導入された水道温水は、この軟水器１１０内に設けられているイオン交換樹脂に触浸されることによって、カルシウムインやマグネシウムイオン等の硬度成分がナトリウムイオンに置換される。そして、このイオン置換処理によって、上記の硬度成分が除去されて軟水が生成され、この軟水が軟水器１１０から導出され、炭酸ガス混合器１２０に導入される。
【００６０】
上記の軟水は、ナトリウムイオンを豊富に含み、そのｐＨ値が７〜７.５の中性〜弱アルカリ性の水である。
【００６１】
これとともに、炭酸ガスボンベ７０に充填されている炭酸ガスも、炭酸ガス配管９１を介して、炭酸ガス混合器１２０に導入される。
【００６２】
そして、炭酸ガス混合器１２０において、上記軟水に上記炭酸ガスが混入され、炭酸ガス（炭酸成分）を混合させた軟水（炭酸軟水）が生成される。このように生成された炭酸軟水は、炭酸ガス混合器１２０から導出され、炭酸軟水配管８４を介して止水栓３０に流入し、この止水栓３０から炭酸軟水配管８４を介してノズルヘッド４０に達し、このノズルヘッド４０から噴射される。
【００６３】
なお、炭酸ガス混合器１２０において、炭酸ガス導入口１２２に例えば弁機構を設けることによって、上記軟水に例えば１分間に１２０回〜１８０回の頻度で間欠的に炭酸ガスを混入させれば、炭酸ガス（炭酸成分）を振動するように混合させた軟水（振動炭酸軟水が生成され、この振動炭酸軟水が止水栓３０等を経由してノズルヘッド４０から噴射される。
【００６４】
上記の炭酸軟水あるいは振動炭酸軟水は、硬度成分を除去されており、かつそのｐＨ値が４〜４．５の酸性の水である。
【００６５】
健康な毛髪や皮膚は、そのｐＨ値が５〜６の弱酸性である。しかし、例えば、カラーリング施術に使用されるアルカリカラーリング剤は、そのｐＨ値が９〜１１のアルカリ性である。このカラーリング施術においては、上記のアルカリカラーリング剤によって毛表皮（キューティクル）を開かせて毛髪中のメラニン成分を除去するが、酸性の炭酸水を使用することによって、毛髪のｐＨ値を上記の弱酸性に戻して、開いた毛表皮をひきしめる。
【００６６】
同様に、例えば、パーマ施術にされるパーマ液のｐＨは、アルカリ性または弱アルカリ性である。このパーマ施術においては、上記のパーマ液によって、毛髪を構成する蛋白質が変質し、毛表皮は開いて艶や触感を損ない、内部蛋白質は不安定になるが、酸性の炭酸水を使用することによって、毛髪のｐＨ値を上記の弱酸性に戻して、開いた毛表皮をひきしめ、内部蛋白質を安定したものに戻す。
【００６７】
また、例えば、トリートメント施術に使用されるトリートメント剤は弱酸性であって健康な毛髪のｐＨ値と略同じである。このトリートメント施術においては、酸性の炭酸水を使用することによって、略中性の水道水を使用するよりも、トリートメント剤の有する毛髪の保護・改善性能を十分に発揮させることが可能となる。
【００６８】
また、炭酸水は、蛋白質に吸着しやすい性質があるため、被施術者の頭皮の毛穴に詰まった老廃物や、被施術者の頭皮や施術者の肌の古い角質を除去して、被施術者および施術者の皮膚にアストリンゼン効果（ひきしめ効果）を生じさせるアストリンゼン水として作用する。
【００６９】
さらに、炭酸水は、頭皮から吸収されやすい性質があるため、被施術者の頭皮や毛根につながる微細な末梢血管の血流を促進させる作用がある。
【００７０】
しかしながら、混合栓２０から送出される水道温水には、上記のようにカルシウムインやマグネシウムイオン等の硬度成分が相応に含まれている。そして、これらの硬度成分による脂肪酸カルシウムや脂肪酸マグネシウムが施術の際に石鹸成分等と最初に反応して、いわゆる石鹸カスの内でも毛髪や頭皮や肌においての残留性が高い金属石鹸が析出される。
【００７１】
このため、水道水に炭酸ガスを混合して生成された従来の炭酸水を理美容の洗浄水や浴水として使用した場合には、上記の金属石鹸、つまり上記硬度成分の金属イオンが、施術の最初に、被施術者の毛髪や頭皮、ならびに施術者の肌に付き、施術中や施術をしたあともそのまま残留して、炭酸水の浸透性や施術剤の吸収性を低下させ、皮膚を荒らす。そして、このことが、毛髪や頭皮や肌の爽快感、触感、保湿力を低下させる要因になっていると考えられる。
【００７２】
そこで、このような炭酸水が本来有する効能の低下に起因した上記の爽快感、触感、保湿力の低下をなくすために、この実施の形態１の炭酸軟水生成装置１００では、水道水に直接炭酸ガスを混合させて炭酸水を生成するのではなく、炭酸ガス混合器１２０の前段に軟水器１１０を設け、水道温水から硬度成分（主にカルシウムイオンおよびマグネシウムイオン）を除去して軟水を生成したあとに、この軟水に炭酸ガスを混合させて炭酸軟水を生成している。
【００７３】
この炭酸軟水生成装置１００による炭酸軟水では、金属石鹸カスを析出させる硬度成分が除去されているので、この炭酸軟水を理美容の施術に洗浄水や浴水として使用しても、金属石鹸の析出および残留を抑制することができる。つまり、炭酸軟水生成装置１００による炭酸軟水は、従来の炭酸水よりも、毛髪や頭皮や肌に浸透性が高く、この炭酸軟水を使用することにより、従来の炭酸水を使用した場合よりも、施術剤の吸収効率を向上させることができる。
【００７４】
例えば、炭酸軟水生成装置１００による炭酸軟水を使用したシャンプー施術では、シャンプーの泡立効果および毛髪においての浸透性を、従来の炭酸水を使用した場合よりも高めることができるので、洗浄効果を向上させ、毛髪や頭皮の爽快感を高めることができる。
【００７５】
また例えば、炭酸軟水生成装置１００による炭酸軟水を使用したトリートメント施術では、毛髪に余計な金属イオンバリアを形成せず、毛表皮（キューティクル）に余計な金属イオンを残留させず、トリートメント剤の吸収効率を、従来の炭酸水を使用した場合よりも高めることができるので、毛髪のトリートメント効果（特に毛表皮の保護・修復効果）を向上させることができ、なめらかな触感の毛髪を得ることができる。
【００７６】
同様に、炭酸軟水生成装置１００による炭酸軟水を使用したカラーリング施術あるいはパーマ施術でも、開いた毛表皮に余計な金属イオンを残留させず、毛髪に余計な金属イオンバリアを形成せず、アルカリカラーリング剤あるいはパーマ液の吸収効率を、従来の炭酸水を使用した場合よりも高めることができるので、カラーリング効果あるいはパーマのウエーブ効果を向上させることができるとともに、なめらかな触感の毛髪を得ることができる。
【００７７】
また、炭酸軟水生成装置１００による炭酸軟水を使用した洗浄あるいは浴水では、皮膚に余計な金属イオンを残留させないので、アトピー性の皮膚にも優しく、高い保湿性を得ることができる。
【００７８】
さらに、ジェルタイプの整髪料に含まれる樹脂成分は、毛穴に詰まるなど毛髪や頭皮に残留して除去しにくいが、振動炭酸軟水を使用することにより、このような整髪料の残留樹脂成分を振動によって物理的に除去することができる。
【００７９】
以上のように本考案の実施の形態１によれば、軟水器１１０において水道温水から硬度成分（主にカルシウムイオンおよびマグネシウムイオン）を除去して軟水を生成し、炭酸ガス混合器１２０においてこの軟水に炭酸ガスを混合させて炭酸軟水を生成するので、この炭酸軟水を理美容の施術に使用したときに、金属石鹸の析出を抑制することができる。
【００８０】
従って、この実施の形態１の炭酸軟水生成装置１００による炭酸軟水を理美容の施術に使用することにより、金属石鹸の析出・残留による炭酸水の効能低下を抑えて、炭酸水が有する本来の効能を十分に発揮させることができるので、毛髪や頭皮や肌に優れた爽快感、触感、保湿力を得ることができる。
【００８１】
実施の形態２
図３は本考案の実施の形態２の炭酸軟水生成装置を適用した炭酸軟水理容洗浄システムの模式構成を説明する図である。なお、図３において、上記図１と同様のものには同じ符号を付してある。
【００８２】
図３の炭酸軟水理容洗浄システム２は、給湯器１０と、混合栓２０と、止水栓３０と、ノズルヘッド４０と、シャンプー台５０と、液体噴霧器６０と、炭酸ガスボンベ７０と、水道水配管８１，８２，８３と、炭酸軟水配管８４，８５と、炭酸ガス配管９１，９２と、本考案の実施の形態２の炭酸軟水生成装置２００とを備えて構成されている。
【００８３】
つまり、図３の炭酸軟水理容洗浄システム２は、上記図１の炭酸軟水理容洗浄システム１において、炭酸軟水生成装置１００を炭酸軟水生成装置２００に変更するとともに、液体噴霧器６０および炭酸ガス配管９２を設けた構成となっている。
【００８４】
給湯器１０は、水道水配管８１から流入する水道冷水を、あらかじめ設定された温度の湯水に加温し、この水道湯水を水道水配管８２内に流出させる。
【００８５】
混合栓２０は、水道水配管８１から流入する水道冷水と、水道水配管８２から流入する水道湯水とを、施術者の操作等によって調整された割合で混合して水道温水とする。そして、この水道温水を、同じく施術者の操作等によって調整された水量で、水道水配管８３内に流出させる。
【００８６】
炭酸ガスボンベ７０は、ガス送出口７１を有する。ガス送出口７１には、炭酸ガス配管９１の一端が配管接合されている。この炭酸ガスボンベ７０は、ボンベ内部に充填された炭酸ガスを、施術者による減圧弁の操作等によってあらかじめ設定された圧力（流量）で、ガス送出口７１から炭酸ガス配管９１内に送出する。
【００８７】
炭酸ガス配管９１は、例えば可撓性の金属配管であるが、剛性金属配管や樹脂配管等を使用することも可能である。
【００８８】
本考案の実施の形態２の炭酸軟水生成装置２００は、軟水器１１０と、炭酸ガス混合器１２０と、炭酸ガス分岐器１３０と、炭酸ガス配管９０とを備え、炭酸ガスを混合させた軟水（炭酸軟水）を生成する。
【００８９】
つまり、実施の形態２の炭酸軟水生成装置２００は、上記実施の形態１の炭酸軟水生成装置１００（上記図１参照）において、炭酸ガス分岐器１３０および炭酸ガス配管９０を設けた構成となっている。
【００９０】
軟水器１１０は、水道温水導入口１１１と、軟水導出口１１２とを有する。水道温水導入口１１１には、水道温水配管８３が配管接合されている。
【００９１】
この軟水器１１０は、例えばナトリウムイオンを含むイオン交換樹脂を内蔵しており、水道温水導入口１１１から導入される水道温水に含まれる硬度成分（主にカルシウムイオンおよびマグネシウムイオン）をナトリウムイオンに置換して除去することによって軟水を生成し、この軟水を軟水導出口１１２から導出する。
【００９２】
上記イオン交換樹脂の具体例としては、「日本工業規格」、「米国規格ＦＤＡ２１」、および「欧州議会指針ＡＰ１」に適合していて飲料水用軟水生成装置にも使用可能であって、かつ交換が容易なスチレン・ゲル型強酸性イオン交換樹脂がある。
【００９３】
炭酸ガス混合器１２０は、軟水導入口１２１と、炭酸ガス導入口１２２と、炭酸軟水導出口１２３とを有する。軟水導入口１２１には、軟水器１１０の軟水導出口１１２が直接配管接合されており、炭酸ガス導入口１２２には、炭酸ガス配管９０の一端が配管接合されており、炭酸軟水導出口１２３には、炭酸軟水配管８４が配管接合されている。
【００９４】
この炭酸ガス混合器１２０は、軟水導入口１２１から導入される軟水に、炭酸ガス導入口１２２から導入される炭酸ガスを混合させることによって炭酸軟水を生成し、この炭酸軟水を炭酸軟水導出口１２３から導出する。
【００９５】
このような炭酸ガス混合器１２０においては、逆止弁あるいは電磁弁等の弁機構を炭酸ガス導入口１２２の経路に設け、この弁機構を開閉動作させることによって、軟水導入口１２１から導入される軟水に、例えば１分間に１２０回〜１８０回、間欠的に炭酸ガスを混合させた振動炭酸軟水を生成し、この振動炭酸軟水を炭酸軟水導出口１２３から導出する構成とすることも可能である。
【００９６】
炭酸ガス配管９０は、例えば可撓性の金属配管であるが、剛性金属配管や樹脂配管等を使用することも可能である。
【００９７】
炭酸ガス分岐器１３０は、炭酸ガス送入口１３１と、第１分岐口１３２と、第２分岐口１３３とを有する。炭酸ガス送入口１３１には、炭酸ガス配管９１の他端が配管接合されており、第１分岐口１３２には、炭酸ガス配管９０の他端が配管接合されており、第２分岐口１３３には、炭酸ガス配管９２の一端が配管接合されている。
【００９８】
この炭酸ガス分岐器１３０は、炭酸ガスボンベ７０から炭酸ガス配管９１を介して炭酸ガス送入口１３１に供給された炭酸ガスを、あらかじめ設定された割合（で第１分岐口１３２と第２分岐口１３３とに分岐させる。なお、上記の割合については、例えば、分岐口の管径を異なるものとする、あるいは必要に応じて減圧弁を設ける等によって設定される。
【００９９】
炭酸ガス分岐器１３０の第１分岐口１３２から分岐送出された炭酸ガスは、炭酸ガス配管９０を介して炭酸ガス混合器１２０の炭酸ガス導入口１２２に導入される。また、炭酸ガス分岐器１３０の第２分岐口１３３から分岐送出された炭酸ガスは、炭酸ガス配管９２を介して液体噴霧器６０の炭酸ガス導入口６１に導入される。
【０１００】
なお、図３では軟水器１１０の軟水導出口１１２と炭酸ガス混合器１２０の軟水導入口１２１とを直接配管接合した構造としているが、これらの軟水導出口１１２と軟水導入口１２１とを例えばビニール製あるいはプラスチック製のホース等の配管を介して接続した構造とすることも可能である。
【０１０１】
また、図３では炭酸ガス配管９０を介して炭酸ガス分岐器１３０の第１分岐口１３２と炭酸ガス混合器１２０の炭酸ガス導入口１２２とを接続しているが、第１分岐口１３２と炭酸ガス導入口１２２とを直接配管接合した構造とすることも可能である。
【０１０２】
さらにまた、図３では炭酸ガス配管９１を介して炭酸ガスボンベ７０のガス送出口７１と炭酸ガス分岐器１３０の炭酸ガス送入口１３１とを接続しているが、ガス送出口７１と炭酸ガス送入口１３１とを直接配管接合した構造とすることも可能である。
【０１０３】
炭酸ガス配管９２は、例えば可撓性の金属配管であるが、剛性金属配管や樹脂配管等を使用することも可能である。
【０１０４】
なお、炭酸ガス分岐器１３０の第２分岐口１３３と炭酸ガス配管９２の一端とを、カップラ構造によって取りはずし可能に配管接合することも可能である。この場合において、第２分岐口１３３から炭酸ガス配管９２の一端を取りはずしているときには、炭酸ガス分岐器１３０の第２分岐口１３３は閉じられ、第２分岐口１３３に分岐された炭酸ガスは送出停止される。
【０１０５】
止水栓３０は、炭酸ガス混合器１２０の炭酸軟水導出口１２３から炭酸軟水配管８４に流入した炭酸軟水（振動炭酸軟水）を、施術者等による操作によって、適量に調整して炭酸軟水配管８５内に流出させ、あるいはこの炭酸軟水の流出を止水する。
【０１０６】
この止水栓３０は、シャンプー台５０に固設され、あるいは取りはずし可能に設置されている。
【０１０７】
なお、止水栓３０を、シャンプー台５０とは独立して設けることも可能である。
【０１０８】
ノズルヘッド４０は、炭酸軟水配管８５から流入した炭酸軟水（振動炭酸軟水）を、シャンプー台５０の上面に設けられているシャンプーボール（被施術者の毛髪や頭皮の洗浄施術あるいは浴水施術をするための凹面器）内に噴水する。
【０１０９】
このノズルヘッド４０は、施術者が自由にハンドリング操作等をできるようにするためにシャンプー台５０から取りはずし可能に、あるいは上下動および回転可能に、シャンプー台５０に設置されている。
【０１１０】
なお、ノズルヘッド４０を、シャンプー台５０に固設すること、あるいはシャンプー台５０とは独立して設けることも可能である。
【０１１１】
シャンプー台５０は、パーマ施術やカラーリング施術のあとに施術者によってなされる、あるいはこれらの施術をせずに単独で施術者によってなされるシャンプー施術やトリーメント施術された被施術者の毛髪や頭皮の炭酸軟水（振動炭酸軟水）洗浄、さらには被施術者の毛髪や頭皮の炭酸軟水（振動炭酸軟水）浴水をするためのシャンプーボールが設けられた貯流水台である。
【０１１２】
液体噴霧器６０は、炭酸ガス導入口６１を有する。炭酸ガス導入口６１には、炭酸ガス配管９２の他端が配管接合されている。
【０１１３】
この液体噴霧器６０は、液体育毛剤や液体毛髪保護調整剤（液体トリートメント）等の液体整髪剤を、例えばカートリッジによる交換可能な構造等によって内包しており、この液体整髪剤に、炭酸ガス導入口６１から導入された炭酸ガスを混合させることによって、炭酸ガス含有育毛剤や炭酸ガス含有ムース等の炭酸ガス含有整髪泡剤とし、この炭酸ガス含有整髪泡剤を施術者等の操作に従って噴出する。つまり、この液体噴霧器６０は、炭酸ガスを気体（エアー）として使用する整髪剤エアスプレーである。
【０１１４】
このような液体噴霧器６０は、施術者が自由に整髪泡剤の噴出操作やハンドリング操作等をできるようにするために、シャンプー台５０から取りはずし可能に、あるいは上下動および回転可能に、シャンプー台５０に設置されている。
【０１１５】
なお、液体噴霧器６０を、シャンプー台５０に固設すること、あるいはシャンプー台５０とは独立して設けることも可能である。
【０１１６】
また、液体噴霧器６０の炭酸ガス導入口６１と炭酸ガス配管９２の他端とを、カップラ構造によって取りはずし可能に配管接合することも可能である。
【０１１７】
この実施の形態２の炭酸軟水生成装置２００の構成例について以下に説明する。
【０１１８】
例えば、上記実施の形態１の炭酸軟水生成装置１００Ａ（上記図２（ａ）参照）と同様に、軟水器１１０の側面において炭酸ガス混合器１２０および炭酸ガス分岐器１３０を支持する構成とすることによって、軟水器１１０とガス混合器１２０と炭酸ガス分岐器１３０の一体型構造を実現することができる。
【０１１９】
また、例えば、上記実施の形態１の炭酸軟水生成装置１００Ｂ（上記図２（ｂ）参照）と同様に、１つのハウジングに軟水器１１０、炭酸ガス混合器１２０、および炭酸ガス分岐器１３０とを内蔵させることによっても、軟水器１１０とガス混合器１２０と炭酸ガス分岐器１３０の一体型構造を実現することができる。
【０１２０】
さらに、例えば、上記実施の形態１の炭酸軟水生成装置１００Ｃ（上記図２（ｃ）参照）と同様に、軟水器１１０の天面に炭酸ガス混合器１２０および炭酸ガス分岐器１３０を載置することによっても、軟水器１１０とガス混合器１２０と炭酸ガス分岐器１３０の一体型構造を実現することができる。
【０１２１】
さらにまた、例えば、記実施の形態１の炭酸軟水生成装置１００Ｄ（上記図２（ｄ）参照）と同様に、軟水器１１０の底面に支設スペースを設け、この支設スペース内に炭酸ガス混合器１２０および炭酸ガス分岐器１３０を抱設させることによって、軟水器１１０とガス混合器１２０と炭酸ガス分岐器１３０の一体型構造を実現することができる。
【０１２２】
このように軟水器１１０とガス混合器１２０と炭酸ガス分岐器１３０を一体型として炭酸軟水生成装置２００を構成することにより、炭酸軟水生成装置２００全体の設置スペースの確保が容易になって設置自由度を上がることができる。さらに、例えば支持体（上記図２の支持体１１６参照）をキャスター機構とすることにより、炭酸軟水生成装置２００全体を容易に移動することができる。
【０１２３】
炭酸軟水理容洗浄システム２の動作、特に炭酸軟水生成装置２００においての炭酸軟水生成動作および液体噴霧器６０においての炭酸ガス含有整髪泡剤の生成噴出動作について、以下に説明する。
【０１２４】
水道水配管８１から送られる水道冷水は、給湯器１０および混合栓２０に流入する。給湯器１０に流入した水道冷水は、給湯器１０において水道湯水に加熱され、水道水配管８２を介して、混合栓２０に流入する。これらの水道冷水および水道湯水は、混合栓２０において調整された割合で混合されて水道温水となり、水道水配管８３を介して軟水器１１０に導入される。
【０１２５】
上記の水道水（水道冷水，水道湯水，水道温水）は、そのｐＨ値が６．５〜７の弱酸性〜中性であって（正確には日本国内においても地域によって異なる）、一般にカルシウムインやマグネシウムイオン等の硬度成分を相応に含んだ水である。
【０１２６】
軟水器１１０に導入された水道温水は、この軟水器１１０内に設けられているイオン交換樹脂に触浸されることによって、カルシウムインやマグネシウムイオン等の硬度成分がナトリウムイオンに置換される。そして、このイオン置換処理によって、上記の硬度成分が除去されて軟水が生成され、この軟水が軟水器１１０から導出され、炭酸ガス混合器１２０に導入される。
【０１２７】
上記の軟水は、ナトリウムイオンを豊富に含み、そのｐＨ値が７〜７.５の中性〜弱アルカリ性の水である。
【０１２８】
これとともに、炭酸ガスボンベ７０に充填されている炭酸ガスも、炭酸ガス配管９１、炭酸ガス分岐器１３０、および炭酸ガス配管９０を介して、炭酸ガス混合器１２０に導入される。
【０１２９】
そして、炭酸ガス混合器１２０において、上記軟水に上記炭酸ガスが混入され、炭酸ガス（炭酸成分）を混合させた軟水（炭酸軟水）が生成される。このように生成された炭酸軟水は、炭酸ガス混合器１２０から導出され、炭酸軟水配管８４を介して止水栓３０に流入し、この止水栓３０から炭酸軟水配管８４を介してノズルヘッド４０に達し、このノズルヘッド４０から噴射される。
【０１３０】
なお、炭酸ガス混合器１２０において、炭酸ガス導入口１２２に例えば弁機構を設けることによって、上記軟水に例えば１分間に１２０回〜１８０回の頻度で間欠的に炭酸ガスを混入させれば、炭酸ガス（炭酸成分）を振動するように混合させた軟水（振動炭酸軟水が生成され、この振動炭酸軟水が止水栓３０等を経由してノズルヘッド４０から噴射される。
【０１３１】
上記の炭酸軟水あるいは振動炭酸軟水は、硬度成分を除去されて、そのｐＨ値が４〜４．５の酸性の水である。
【０１３２】
炭酸ガス分岐器１３０においては、炭酸ガスボンベ７０から供給された炭酸ガスは、第１分岐口１３２から炭酸ガス混合器１２０に送出されるとともに、第２分岐口１３３から炭酸ガス配管９２を介して液体噴霧器６０にも送出される。
【０１３３】
そして、液体噴霧器６０において、上記炭酸ガスは液体育毛剤や液体毛髪保護調整剤（液体トリートメント）等の液体整髪剤と混合され、炭酸ガス含有育毛剤や炭酸ガス含有ムース等の炭酸ガス含有整髪泡剤が生成される。この炭酸ガス含有整髪泡剤は、施術者等による液体噴霧器６０の操作によって、液体噴霧器６０から噴射される。
【０１３４】
健康な毛髪や皮膚は、そのｐＨ値が５〜６の弱酸性である。しかし、例えば、カラーリング施術に使用されるアルカリカラーリング剤は、そのｐＨ値が９〜１１の強アルカリ性である。このカラーリング施術においては、上記のアルカリカラーリング剤によって毛表皮（キューティクル）を開かせて毛髪中のメラニン成分を除去するが、酸性の炭酸水を使用することによって、毛髪のｐＨ値を上記の弱酸性に戻して、開いた毛表皮をひきしめる。
【０１３５】
同様に、例えば、パーマ施術にされるパーマ液のｐＨは、アルカリ性または弱アルカリ性である。このパーマ施術においては、上記のパーマ液によって、毛髪を構成する蛋白質が変質し、毛表皮は開いて艶や触感を損ない、内部蛋白質は不安定になるが、酸性の炭酸水を使用することによって、毛髪のｐＨ値を上記の弱酸性に戻して、開いた毛表皮をひきしめ、内部蛋白質を安定したものに戻す。
【０１３６】
また、例えば、トリートメント施術に使用されるトリートメント剤は弱酸性であって健康な毛髪のｐＨ値と略同じである。このトリートメント施術においては、酸性の炭酸水を使用することによって、略中性の水道水を使用するよりも、トリートメント剤の有する毛髪の保護・改善性能を十分に発揮させることが可能となる。
【０１３７】
また、炭酸水は、蛋白質に吸着しやすい性質があるため、被施術者の頭皮の毛穴に詰まった老廃物や、被施術者の頭皮や施術者の肌の古い角質を除去して、被施術者および施術者の皮膚にアストリンゼン効果（ひきしめ効果）を生じさせるアストリンゼン水として作用する。
【０１３８】
さらに、炭酸水は、頭皮から吸収されやすい性質があるため、被施術者の頭皮や毛根につながる微細な末梢血管の血流を促進させる作用がある。
【０１３９】
しかしながら、混合栓２０から送出される水道温水には、上記のようにカルシウムインやマグネシウムイオン等の硬度成分が相応に含まれている。そして、これらの硬度成分による脂肪酸カルシウムや脂肪酸マグネシウムが施術の際に石鹸成分等と最初に反応して、いわゆる石鹸カスの内でも毛髪や頭皮や肌においての残留性が高い金属石鹸が析出される。
【０１４０】
このため、水道水に炭酸ガスを混合して生成された従来の炭酸水を理美容の洗浄水や浴水として使用した場合には、上記の金属石鹸、つまり上記硬度成分の金属イオンが、施術の最初に、被施術者の毛髪や頭皮、ならびに施術者の肌に付き、施術中や施術をしたあともそのまま残留して、炭酸水の浸透性や施術剤の吸収性を低下させ、皮膚を荒らす。そして、このことが、毛髪や頭皮や肌の爽快感、触感、保湿力を低下させる要因になっていると考えられる。
【０１４１】
そこで、このような炭酸水が本来有する効能の低下に起因した上記の爽快感、触感、保湿力の低下をなくすために、この実施の形態２の炭酸軟水生成装置２００では、水道水に直接炭酸ガスを混合させて炭酸水を生成するのではなく、炭酸ガス混合器１２０の前段に軟水器１１０を設け、水道温水から硬度成分（主にカルシウムイオンおよびマグネシウムイオン）を除去して軟水を生成したあとに、この軟水に炭酸ガスを混合させて炭酸軟水を生成している。
【０１４２】
この炭酸軟水生成装置２００による炭酸軟水では、金属石鹸カスを析出させる硬度成分が除去されているので、この炭酸軟水を理美容の施術に洗浄水や浴水として使用しても、金属石鹸の析出および残留を抑制することができる。つまり、炭酸軟水生成装置２００による炭酸軟水は、従来の炭酸水よりも、毛髪や頭皮や肌に浸透性が高く、この炭酸軟水を使用することにより、従来の炭酸水を使用した場合よりも、施術剤の吸収効率を向上させることができる。
【０１４３】
例えば、炭酸軟水生成装置２００による炭酸軟水を使用したシャンプー施術では、シャンプーの泡立効果および毛髪においての浸透性を、従来の炭酸水を使用した場合よりも高めることができるので、洗浄効果を向上させ、毛髪や頭皮の爽快感を高めることができる。
【０１４４】
また例えば、炭酸軟水生成装置２００による炭酸軟水を使用したトリートメント施術では、毛髪に余計な金属イオンバリアを形成せず、毛表皮（キューティクル）に余計な金属イオンを残留させず、トリートメント剤の吸収効率を、従来の炭酸水を使用した場合よりも高めることができるので、毛髪のトリートメント効果（特に毛表皮の保護・修復効果）を向上させることができ、なめらかな触感の毛髪を得ることができる。
【０１４５】
同様に、炭酸軟水生成装置２００による炭酸軟水を使用したカラーリング施術あるいはパーマ施術でも、開いた毛表皮（キューティクル）に余計な金属イオンを残留させず、毛髪に余計な金属イオンバリアを形成せず、アルカリカラーリング剤あるいはパーマ液の吸収効率を、従来の炭酸水を使用した場合よりも高めることができるので、カラーリング効果あるいはパーマのウエーブ効果を向上させることができるとともに、なめらかな触感の毛髪を得ることができる。
【０１４６】
また、炭酸軟水生成装置２００による炭酸軟水を使用した洗浄あるいは浴水では、皮膚に余計な金属イオンを残留させないので、アトピー性の皮膚にも優しく、高い保湿性を得ることができる。
【０１４７】
さらに、ジェルタイプの整髪料に含まれる樹脂成分は、毛穴に詰まるなど毛髪や頭皮に残留して除去しにくいが、振動炭酸軟水を使用することにより、このような整髪料の残留樹脂成分を振動によって物理的に除去することができる。
【０１４８】
以上のように本考案の実施の形態２によれば、上記本考案の実施の形態１と同様に、軟水器１１０において水道温水から硬度成分（主にカルシウムイオンおよびマグネシウムイオン）を除去して軟水を生成し、炭酸ガス混合器１２０においてこの軟水に炭酸ガスを混合させて炭酸軟水を生成するので、この炭酸軟水を理美容の施術に使用したときに、金属石鹸の析出を抑制することができる。
【０１４９】
従って、この実施の形態２の炭酸軟水生成装置２００による炭酸軟水を理美容の施術に使用することにより、金属石鹸の析出・残留による炭酸水の効能低下を抑えて、炭酸水が有する本来の効能を十分に発揮させることができるので、毛髪や頭皮や肌に優れた爽快感、触感、保湿力を得ることができる。
【０１５０】
さらに、本考案の実施の形態２によれば、炭酸ガス分岐器１３０を設けて、炭酸ガスを炭酸ガス混合１２０に送出する経路（第１分岐口１３２）と他の経路（第２分岐口１３３）とに分岐させているので、この他の経路を使用すれば、液体噴霧器６０のように炭酸ガスを使用して整髪剤を生成・噴霧する器具を、容易に設置することができる。
【０１５１】
以上、本考案を実施するための形態について詳細に説明したが、本考案はこれらに限定されるものではなく、その主旨を逸脱しない範囲において種々の変更が可能である。
【符号の説明】
【０１５２】
１，２  炭酸軟水システム
１０  給湯器
２０  混合栓
３０  止水栓
４０  ノズルヘッド
５０  シャンプー台
６０  液体噴霧器
６１  炭酸ガス導入口
７０  炭酸ガスボンベ
７１  ガス送出口
８１，８２，８３  水道水配管
８４，８５  炭酸軟水配管
９０，９１，９２  炭酸ガス配管
１００（１００Ａ，１００Ｂ，１００Ｃ，１００Ｄ）  炭酸軟水生成装置
１１０  軟水器
１１１  水道温水導入口
１１２  軟水導出口
１１６  支持体
１１７  混合器支設スペース
１２０  炭酸ガス混合器
１２１  軟水導入口
１２２  炭酸ガス導入口
１２３  炭酸軟水導出口
１３０  炭酸ガス分岐器
１３１  炭酸ガス送入口
１３２  第１分岐口
１３３  第２分岐口
２００  炭酸軟水生成装置
【図１】
0003163892.tif 000003
【図２】
0003163892.tif 000004
【図３】
0003163892.tif 000005